(57)【要約】【課題】面体にかかる潮位差による水圧、あるいは水の流れエネルギーを低減させることができるとともに、面体の裏面側に配置されたロープの径を細くすることができ、これによりロープによる重量およびコストを低減させることのできる防災構造物を提供すること。【解決手段】水深方向および水平方向に展張される少なくとも２枚の面体１１０，１２０と、水位差の水圧あるいは水の流れエネルギーに基づいて水平方向に張力を受ける前記面体１１０，１２０の両側辺をそれぞれ水平方向に引張して支持する少なくとも２組の支持体１１１，１１２，１２１，１２２と、を備える防災構造物１００であって、前記面体１１０，１２０は、水圧差の生じる方向あるいは水の流れ方向に沿って配置されていることを特徴とする。【選択図】　図１
2004076337.tif 000002
【特許請求の範囲】
【請求項１】
水深方向および水平方向に展張される少なくとも２枚の面体と、
水位差の水圧あるいは水の流れエネルギーに基づいて水平方向に張力を受ける前記面体の両側辺をそれぞれ水平方向に引張して支持する少なくとも２組の支持体と、を備える防災構造物であって、
前記面体は、水圧差の生じる方向あるいは水の流れ方向に沿って配置されていることを特徴とする防災構造物。
【請求項２】
水深方向および水平方向に展張される少なくとも２枚の面体と、
水位差の水圧あるいは水の流れエネルギーに基づいて水平方向に張力を受ける前記面体の両側辺を水平方向に引張して支持する１組の支持体と、を備える防災構造物であって、
前記面体は、水圧差の生じる方向あるいは水の流れ方向に沿って配置されていることを特徴とする防災構造物。
【請求項３】
請求項２に記載の防災構造物において、
前記面体の水平方向の長さはそれぞれ異なることを特徴とする防災構造物。
【請求項４】
請求項１から３のいずれか一項に記載の防災構造物において、
前記面体はそれぞれ、水面から水底にわたって展張されていることを特徴とする防災構造物。
【請求項５】
請求項１から３のいずれか一項に記載の防災構造物において、
前記面体には、水面から所定深さにわたって展張されている面体と、水底から所定深さにわたって展張されている面体とがあることを特徴とする防災構造物。
【請求項６】
請求項５に記載の防災構造物において、
前記水面から所定深さにわたって展張されている面体と、前記水底から所定深さにわたって展張されている面体とが、交互に配置されていることを特徴とする防災構造物。
【請求項７】
請求項１から６のいずれか１項に記載の防災構造物において、
前記面体は、前記支持体の一方から他方にわたって、平面視半円を形成するように展張されていることを特徴とする防災構造物。
【請求項８】
水深方向および水平方向に展張される面体と、
水の流れエネルギーに基づいて水平方向に張力を受ける前記面体を水平方向に引張して支持する支持体と、
前記面体と前記支持体とを連結するロープと、を備える防災構造物であって、
前記面体および前記ロープは、平常時前記支持体に設けられた格納箱に格納されており、水の流れエネルギーによってパラシュート式に展張されることを特徴とする防災構造物。
【発明の詳細な説明】
【０００１】
【発明の属する技術分野】
本発明は、港湾、漁港、河川や湖沼もしくはそれらに類する場所に設けられ、高波、高潮、津波、あるいは河川の氾濫に抗する防潮堤、防波堤、河川護岸、あるいは堤防などの災害を防止する防災構造物に関するものである。
【０００２】
【従来の技術】
たとえば港湾の入口付近に位置する水路（あるいは航路）Ｒを閉鎖して、高波や高潮、あるいは津波などの災害から都市部を守る防災構造物としては、図６に示すようなものが現在提案されている。
図６はこの防災構造物が、水路Ｒを閉鎖した状態を示す概略斜視図である。
なお、ここで想定されている水路Ｒの幅は１００〜６００メートル、水深は５〜２０メートルである。このような水路Ｒとしては、たとえば都市部の入口などがある。また、潮位差（水位差）としては約２〜５メートルを想定している。
【０００３】
図６に示すように、この防災構造物１０は、面体１１と、この面体の両側に配置された支持体１２，１３とを具備するものである。図中の符号Ｌは陸地である。
また、図６において面体１１、および支持体１２，１３の左側は海側（あるいは港の外側）であり、右側は川側（あるいは港の内側）である。
【０００４】
さて、面体１１は、水深方向および水平方向に展張されるものであり、遮水性、耐候性や耐環境性を高めるために必要で有れば、ゴム系やプラスチック系などでコーティングした高強度の繊維材料（アラミド繊維、超高分子ポリエチレン、ポリアリレート、ポリエステルなど）で形成された膜状の部材である。
【０００５】
また、図７に示すように、面体１１の裏面側、すなわち図６において右側に位置する川側（あるいは港の内側）には、たとえば１３本のロープ１１ａ，１１ｂ，１１ｃ・・・が配置されている。
これら１３本のロープ１１ａ〜１１ｍは、面体１１と平行に一方の支持体１２から他方の支持体１３に延在するものである。
なお、図７において符号Ｂは水底である。
【０００６】
【発明が解決しようとする課題】
しかしながら、このような防災構造物では、図６および図７に示すように、（たとえば高潮によって起こる）潮位差による水圧、あるいは（たとえば高波や津波による）水の流れエネルギーを、一枚の面体１１と１３本のロープ１１ａ〜１１ｍとで受け止めなければならず、必然的にロープの径が太くなるとともに重量が増加し、面体展張時のハンドリング性（作業性）が非常に悪くなってしまうといった問題点があった。
また、ロープの径が太くなるため市販のものでは間に合わず、ロープを特別に用意しなければならず、コストが増加してしまうといった問題点があった。
【０００７】
本発明は、上記の事情に鑑みてなされたもので、面体にかかる潮位差による水圧、あるいは水の流れエネルギーを低減させることができるとともに、面体の裏面側に配置されたロープの径を細くすることができ、これによりロープによる重量およびコストを低減させることのできる防災構造物を提供することを目的としている。
【０００８】
【課題を解決するための手段】
本発明の防災構造物では、上記課題を解決するため、以下の手段を採用した。すなわち、請求項１記載の防災構造物によれば、水深方向および水平方向に展張される少なくとも２枚の面体と、水位差の水圧あるいは水の流れエネルギーに基づいて水平方向に張力を受ける前記面体の両側辺をそれぞれ水平方向に引張して支持する少なくとも２組の支持体と、を備える防災構造物であって、前記面体は、水圧差の生じる方向あるいは水の流れ方向に沿って配置されていることを特徴とする。
【０００９】
この防災構造物においては、面体と支持体との組が２組以上設けられていることとなる。
したがって、水位差の水圧あるいは水の流れエネルギーを２組以上の面体と支持体とで受け止めることとなり、各面体および各支持体に加わる力がそれぞれ軽減されることとなる。
【００１０】
請求項２記載の防災構造物によれば、水深方向および水平方向に展張される少なくとも２枚の面体と、水位差の水圧あるいは水の流れエネルギーに基づいて水平方向に張力を受ける前記面体の両側辺を水平方向に引張して支持する１組の支持体と、を備える防災構造物であって、前記面体は、水圧差の生じる方向あるいは水の流れ方向に沿って配置されていることを特徴とする。
【００１１】
この防災構造物においては、一対の支持体に２枚以上の面体が設けられていることとなる。
したがって、水位差の水圧あるいは水の流れエネルギーを２枚以上の面体と一対の支持体とで受け止めることとなり、各面体に加わる力が軽減されることとなる。
【００１２】
請求項３記載の防災構造物によれば、請求項２に記載の防災構造物において、前記面体の水平方向の長さはそれぞれ異なることを特徴とする。
【００１３】
この防災構造物においては、面体の水平方向の長さがそれぞれ異なることとなる。
すなわち、平面視において各面体の曲率が異なることとなり、面体と面体との間に間隙が形成されるようになっている。
【００１４】
請求項４記載の防災構造物によれば、請求項１から３のいずれか一項に記載の防災構造物において、前記面体はそれぞれ、水面から水底にわたって展張されていることを特徴とする。
【００１５】
この防災構造物においては、水面から水底にわたって展張されている複数の面体によって、各面体の表面と裏面との間の水の行き来が最小限に抑えられることとなる。
したがって、各面体の表面と裏面との間の水位差が最大限保たれることとなる。
【００１６】
請求項５記載の防災構造物によれば、請求項１から３のいずれか一項に記載の防災構造物において、前記面体には、水面から所定深さにわたって展張されている面体と、水底から所定深さにわたって展張されている面体とがあることを特徴とする。
【００１７】
この防災構造物においては、面体の上方あるいは面体の下方に隙間が形成されるようになっている。
したがって、面体の上辺と水面との間、あるいは面体の底辺と水底との間を水が行き来できるようになっている。
【００１８】
請求項６記載の防災構造物によれば、請求項５に記載の防災構造物において、前記水面から所定深さにわたって展張されている面体と、前記水底から所定深さにわたって展張されている面体とが、交互に配置されていることを特徴とする。
【００１９】
この防災構造物においては、水面から所定深さにわたって展張されている面体と、水底から所定深さにわたって展張されている面体とが、交互に配置されているので、水が上下に蛇行するように流れることとなる。
【００２０】
請求項７記載の防災構造物によれば、請求項１から６のいずれか１項に記載の防災構造物において、前記面体は、前記支持体の一方から他方にわたって、平面視半円を形成するように展張されていることを特徴とする。
【００２１】
この防災構造物においては、一方の支持体から他方の支持体にわたって、面体の平面視形状が半円部分を有するように展張されることとなる。
したがって、面体の両側辺が支持体を引張する力は、一方の支持体と他方の支持体とを結ぶ線と直交する方向にのみ作用することとなる。
【００２２】
請求項８記載の防災構造物によれば、水深方向および水平方向に展張される面体と、水の流れエネルギーに基づいて水平方向に張力を受ける前記面体を水平方向に引張して支持する支持体と、前記面体と前記支持体とを連結するロープと、を備える防災構造物であって、前記面体および前記ロープは、平常時前記支持体に設けられた格納箱に格納されており、水の流れエネルギーによってパラシュート式に展張されることを特徴とする。
【００２３】
この防災構造物においては、平常時支持体の格納箱に収容された面体およびロープが、水の流れエネルギーによる災害（たとえば津波による災害）が発生するおそれのある場合に水中に投下され、水の流れエネルギーによってパラシュートのように展張されるようになっている。
【００２４】
【発明の実施の形態】
以下、本発明の実施の形態について、図面を参照しながら説明する。
図１は本発明による防災構造物の一実施形態を示す図であって、水路（あるいは航路）Ｒを閉鎖した状態を示す概略斜視図である。
また、図２は図１のＩＩ−ＩＩ矢視断面図である。
【００２５】
図１に示すように、本発明による防災構造物１００は、２枚の面体１１０，１２０と、これら面体の両側にそれぞれ配置された２組の支持体１１１，１１２，１２１，１２２とを具備するものである。図中の符号Ｌは陸地である。
また、図１および図２において面体１１０，１２０、および支持体１１１，１１２，１２１，１２２の左側は海側（あるいは港の外側）であり、右側は川側（あるいは港の内側）である。
【００２６】
さて、これら面体１１０，１２０は、水面から水底にわたって展張されるとともに、一方の支持体１１１，１２１から他方の支持体１１２，１２２にわたって展張されるものであり、遮水性、耐候性や耐環境性を高めるために必要で有れば、ゴム系やプラスチック系などでコーティングした高強度の繊維材料（アラミド繊維、超高分子ポリエチレン、ポリアリレート、ポリエステルなど）で形成された膜状の部材である。
【００２７】
また、図２に示すように、面体１１０の裏面側、すなわち図１および図２において右側に位置する川側（あるいは港の内側）には、たとえば１３本のロープ１１０ａ，１１０ｂ，１１０ｃ・・・が配置されている。
これら１３本のロープ１１０ａ〜１１０ｍは、面体１１０と平行に一方の支持体１１１から他方の支持体１１２に延在するものである。
一方、面体１２０の裏面側には、たとえば１２本のロープ１２０ａ，１２０ｂ，１２０ｃ・・・が配置されている。
これら１２本のロープ１２０ａ〜１２０ｌは、面体１２０と平行に一方の支持体１２１から他方の支持体１２２に延在するものである。
なお、図２において符号Ｂは水底である。
【００２８】
また、支持体１１１，１１２および支持体１２１，１２２はそれぞれ、水位差の水圧（あるいは水の流れエネルギー）に基づいて水平方向に張力を受ける各面体１１０，１２０の両側辺をそれぞれ水平方向に引張して支持するものである。
【００２９】
このように、面体と支持体との組み合わせを図１に示すように２組設ける、すなわち水圧差の生じる方向に沿って、面体と支持体との組を順次配置していくことにより、１枚の面体にかかる水位差による水圧（たとえば、図６および図７を用いて説明した水位差による水圧）を、たとえば図２に示すように半減させる（段階的に低減させる）ことができるようになる。
すなわち、１枚の面体にかかる力を低減させることができるので、この面体の裏面側に配置されたロープの径を減少させることができるとともに、ロープによる重量を減らすことができて、面体展張時のハンドリング性（作業性）を向上させることができる。
また、ロープの径を細くすることができるので、市販のものを適用することができ、ロープを特別に用意する必要がなく、コストを低減させることができる。
【００３０】
図３は本発明による防災構造物の他の実施形態を示す図であって、図１に示す面体１１０，１２０、および支持体１１１，１１２，１２１，１２２の代わりに面体２１０，２２０，２３０、および支持体２１１，２１２，２２１，２２２，２３１，２３２を備えた防災構造物の概略斜視図である。
なお、図３において陸地および水底面は図面を見やすくするために省略している。
【００３１】
図３に示すように、この実施形態における防災構造物２００は、３枚の面体２１０，２２０，２３０と、これら面体の両側にそれぞれ配置された３組の支持体２１１，２１２，２２１，２２２，２３１，２３２とを具備するものである。
【００３２】
面体２１０は水底から所定深さにわたって展張されるとともに、一方の支持体２１１から他方の支持体２１２にわたって展張されるものである。
また、面体２２０は水面から所定深さにわたって展張されるとともに、一方の支持体２２１から他方の支持体２２２にわたって展張されるものである。
さらに、面体２３０は水底から所定深さにわたって展張されるとともに、一方の支持体２３１から他方の支持体２３２にわたって展張されるものである。
【００３３】
すなわち、図３に示すものでは、面体２１０の底辺は水底と接しており、かつ面体２１０の上辺と水面との間は開放されている。
また、面体２２０の上辺は水面よりも上方に位置しており、かつ面体２２０の底辺と水底との間は開放されている。
さらに、面体２３０の底辺は水底と接しており、かつ面体２３０の上辺と水面との間は開放されている。
【００３４】
したがって、海側（あるいは港の外側）から川側（あるいは港の内側）に向かって流速を有する水は、面体２１０の上辺よりも上方→面体２２０の底辺よりも下方→面体２３０の上辺よりも上方を通って水路Ｒ内に流れ込んでいくこととなる。
すなわち、水が上下に蛇行しながら進んでいくこととなる。
【００３５】
このように、面体と支持体との組み合わせを図３に示すように３組設ける、すなわち水の流れ方向に沿って、面体と支持体との組を配置し、かつ面体を水面から所定深さにわたって展張するものと水底から所定深さにわたって展張するものとを交互に配置することにより、１枚の面体にかかる水の流れエネルギーによる水圧を低減させることができるとともに、水の流れを上下に蛇行させることにより水の流れエネルギーを減衰させることができる。
すなわち、１枚の面体にかかる力を低減させることができるので、この面体の裏面側に配置されたロープの径を減少させることができるとともに、ロープによる重量を減らすことができ、面体展張時のハンドリング性（作業性）を向上させることができる。
また、ロープの径を細くすることができるので、市販のものを適用することができ、ロープを特別に用意する必要がなく、コストを低減させることができる。さらに、水の流れエネルギーを減衰させることができるので、たとえば、津波がもつ水の流れエネルギーを効果的に減衰させることができる。
【００３６】
以上説明してきた面体１１０，１２０，２１０，２２０，２３０の平面視形状が、図４に示すように、一方の支持体１１１，１２１，２１１，２２１，２３１から他方の支持体１１２，１２２，２１２，２２２，２３２にわたって、平面視半円部分を形成するように、あるいは略半楕円形を形成するように展張されていれば有利である。
面体１１０，１２０，２１０，２２０，２３０がこのように展張されることにより、支持体１１１，１１２，１２１，１２２，２１１，２１２，２２１，２２２，２３１，２３２が面体１１０，１２０，２１０，２２０，２３０を引張する力は、図４の矢印Ｆだけとなり、面体に作用する張力を最小にすることができ、これら面体の裏面側に配置されたロープの径をさらに減少させることができるとともに、ロープによる重量をさらに減らすことができ、面体展張時のハンドリング性（作業性）をさらに向上させることができる。
また、ロープの径をさらに細くすることができるので、コストをより低減させることができる。
【００３７】
図３に示す実施形態のもののように、たとえば津波がもつ水の流れエネルギーを減衰させるものとしては、図５に示すようなものとすることもできる。
図５に示す防災構造物３００は、面体３１０と、支持体３２０と、これら面体３１０と支持体３２０とを連結する複数本、たとえば４本のロープ３３０とを主たる要素として構成されたものである。
【００３８】
面体３１０は水深方向および水平方向に展張されるものであり、図２に示す面体１１０，１２０同様、面体３１０の裏面側に複数本のロープが配置されたもので、水の流れエネルギーを受け止めて減衰させることにより、水の流速を低減させようとするものである。
支持体３２０は水の流れエネルギーに基づいて水平方向に張力を受ける面体３１０を水平方向に引張して支持するものである。
ロープ３３０は面体３１０の四隅と支持体３２０とを連結するものである。
【００３９】
防災構造物３００の面体３１０およびロープ３３０は、平常時支持体３２０に設けられた格納箱３２１の中に格納されている。すなわち、平常時には支持体３２０のみが現れていることとなる。
一方、津波など水の流れエネルギーによる災害が発生するおそれのある場合、これら面体３１０およびロープ３３０が格納箱３２１から取り出されるとともに水中に投下され、水の流れエネルギーによってパラシュート式に展張されるようになっている。
【００４０】
これにより、水の流れエネルギーを減衰させることができるので、たとえば、津波がもつ水の流れエネルギーを効果的に減衰させることができる。
【００４１】
なお、図１ないし図３を用いて説明してきた面体１１０，１２０，２１０，２２０，２３０、および支持体１１１，１１２，１２１，１２２，２１１，２１２，２２１，２２２，２３１，２３２については、上述したものに限定されるものではなく、たとえば先に出願した特願２００１−１９９２４５、特願２００１−３５６３０２、特願２００２−０１０４０６に記載したものを適用することもできる。
【００４２】
また、図１には面体と支持体との組を２組有する防災構造物１００を示しているが、本発明はこれに限定されるものではなく、面体と支持体との組を３組以上有するようにすることもできる。
【００４３】
さらに、図１に示す実施形態のものは、１枚の面体に対して一対の支持体が設けられている。
しかしながら、本発明はこれに限定されるものではなく、たとえば、一対の支持体に対して２枚の面体を取り付けることも可能である。
この際、一方の面体の水平方向の長さを、他方の面体の水平方向の長さよりも長くすることにより、面体と面体との空間が形成されることとなり、図２に示すものと同様の水位差が面体と面体との間に生じることとなる。
【００４４】
さらにまた、図３に示す支持体２１１，２１２，２２１，２２２，２３１，２３２は、必ずしも陸地Ｌに接して設ける必要はなく、陸地Ｌから離間させて設けるようにすることもできる。
【００４５】
さらにまた、図３に示す防災構造物２００は面体と支持体との組を３組有するものであるが、本発明はこれに限定されるものではなく、２組あるいは４組以上とすることもできる。
【００４６】
さらにまた、図３に示す実施形態では、面体２１０，２３０の底辺が水底に接しているとともに、面体２２０の上辺が水面よりも上方に位置しているものとした。
しかしながら、本発明はこれに限定されるものではなく、たとえば、面体２１０，２３０の底辺が水底よりも上方に位置していてもよいし、面体２２０の上辺が水面よりも下方に位置していてもよい。
【００４７】
さらにまた、図３に示す防災構造物２００の設置場所は、図１に示すような港湾の入口付近に限定されるものではなく、たとえば河川の中流部に設けるようにすることもできる。
この場合の防災構造物の役目としては、集中豪雨などにより増水した河川の流れを減速させることである。
なおこの場合、図３における左側が河川の上流側、右側が河川の下流側になる。
このように河川の流れが減速させられることにより、下流域における河川の氾濫を防止することができるようになる。
【００４８】
さらにまた、図３に示す防災構造物２００は、河川の湾曲部に設けることもできる。すなわち、河川の流速を減速させて、河川の氾濫を防止することができるように設置することもできる。
このように河川の流れが減速させられることにより、河川の湾曲部における河川の氾濫を防止することができるようになる。
【００４９】
さらにまた、図１または図３に示すような面体およびこれを支持する支持体を、面体の平面視形状が河川の湾曲部に沿うように設置することもできる。
すなわち、河川の流れに対して外側に位置する岸と略平行になるように面体を設置することより、面体の内側（湾曲部の曲率中心側）表面に沿って河川が流れるようになり、湾曲部における岸側への流れを河川下流側への流れに変えることができて、河川の氾濫を防止することができるようになる。
【００５０】
【発明の効果】
本発明の防災構造物によれば、以下の効果を奏する。
請求項１記載の防災構造物によれば、水位差の水圧あるいは水の流れエネルギーを２組以上の面体と支持体とで受け止めることとなり、各面体および各支持体に加わる力がそれぞれ軽減されることとなるので、１枚の面体にかかる力を低減させることができ、この面体の裏面側に配置されたロープの径を減少させることができるとともに、ロープによる重量を減らすことができて、面体展張時のハンドリング性（作業性）を向上させることができるという効果を奏する。
また、ロープの径を細くすることができるので、市販のものを適用することができ、ロープを特別に用意する必要がなく、コストを低減させることができるという効果を奏する。
【００５１】
請求項２記載の防災構造物によれば、水位差の水圧あるいは水の流れエネルギーを２枚以上の面体と一対の支持体とで受け止めることとなり、各面体に加わる力が軽減されることとなるので、１枚の面体にかかる力を低減させることができ、この面体の裏面側に配置されたロープの径を減少させることができるとともに、ロープによる重量を減らすことができて、面体展張時のハンドリング性（作業性）を向上させることができるという効果を奏する。
また、ロープの径を細くすることができるので、市販のものを適用することができ、ロープを特別に用意する必要がなく、コストを低減させることができるという効果を奏する。
【００５２】
請求項３記載の防災構造物によれば、面体と面体との間に間隙が形成されるようになっているので、水位差による水圧あるいは水の流れエネルギーを徐々に（段階的に）低減あるいは減衰させることができるという効果を奏する。
また、１枚の面体にかかる力を低減させることができるので、この面体の裏面側に配置されたロープの径を減少させることができるとともに、ロープによる重量を減らすことができて、面体展張時のハンドリング性（作業性）を向上させることができるという効果を奏する。
さらに、ロープの径を細くすることができるので、市販のものを適用することができ、ロープを特別に用意する必要がなく、コストを低減させることができるという効果を奏する。
【００５３】
請求項４記載の防災構造物によれば、各面体が水面から水底にわたって展張されており、各面体の表面と裏面との間の水の行き来が最小限に抑えられることとなるので、各面体の表面と裏面との間の水位差を最大限保つことができるという効果を奏する。
【００５４】
請求項５記載の防災構造物によれば、面体の上方あるいは面体の下方に隙間が形成されるようになっており、面体の上辺と水面との間、あるいは面体の底辺と水底との間を水が行き来できるようになっているので、１枚の面体にかかる力を低減させることができ、この面体の裏面側に配置されたロープの径を減少させることができるとともに、ロープによる重量を減らすことができて、面体展張時のハンドリング性（作業性）を向上させることができるという効果を奏する。
また、ロープの径を細くすることができるので、市販のものを適用することができ、ロープを特別に用意する必要がなく、コストを低減させることができるという効果を奏する。
【００５５】
請求項６記載の防災構造物によれば、水面から所定深さにわたって展張されている面体と、水底から所定深さにわたって展張されている面体とが、交互に配置されているので、水を上下に蛇行するように流すことができるとともに、水の流れエネルギーを減衰させることができるという効果を奏する。
【００５６】
請求項７記載の防災構造物によれば、面体の両側辺が支持体を引張する力は、一方の支持体と他方の支持体とを結ぶ線と直交する方向にのみ作用することとなるので、１枚の面体にかかる力を最大限低減させることができ、この面体の裏面側に配置されたロープの径を最大限減少させることができるとともに、ロープによる重量を最大限減らすことができて、面体展張時のハンドリング性（作業性）をさらに向上させることができるという効果を奏する。
また、ロープの径を最大限細くすることができるので、市販のものを適用することができ、ロープを特別に用意する必要がなく、コストをさらに低減させることができるという効果を奏する。
【００５７】
請求項８記載の防災構造物によれば、平常時支持体の格納箱に収容された面体およびロープが、水の流れエネルギーによる災害（たとえば津波による災害）が発生するおそれのある場合に水中に投下され、水の流れエネルギーによってパラシュートのように展張されるようになっているので、面体を展張するための特別な装置を排除することができて、コストを削減することができるとともに、面体により水の流れエネルギーを減衰させることができるという効果を奏する。
【図面の簡単な説明】
【図１】本発明による防災構造物の一実施形態を示す図であって、水路（あるいは航路）Ｒを閉鎖した状態を示す概略斜視図である。
【図２】図１のＩＩ−ＩＩ矢視断面図である。
【図３】本発明による防災構造物の他の実施形態を示す概略斜視図である。
【図４】図１ないし図３に示す面体および支持体を上方から見た概略平面図であって、面体の最も有利な展張の仕方を説明するための図である。
【図５】本発明による防災構造物の別の実施形態を示す概略斜視図である。
【図６】従来提案されている防災構造物の一実施形態を示す図であって、水路（あるいは航路）Ｒを閉鎖した状態を示す概略斜視図である。
【図７】図６のＶＩＩ−ＶＩＩ矢視断面図である。
【符号の説明】
１０　防災構造物
１１　面体
１２　支持体
１３　支持体
１００　防災構造物
１１０　面体
１１１　支持体
１１２　支持体
１２０　面体
１２１　支持体
１２２　支持体
２００　防災構造物
２１０　面体
２１１　支持体
２１２　支持体
２２０　面体
２２１　支持体
２２２　支持体
２３０　面体
２３１　支持体
２３２　支持体
３００　防災構造物
３１０　面体
３２０　支持体
３２１　格納箱
３３０　ロープ
Ｂ　水底
【図１】
2004076337.tif 000003
【図２】
2004076337.tif 000004
【図３】
2004076337.tif 000005
【図４】
2004076337.tif 000006
【図５】
2004076337.tif 000007
【図６】
2004076337.tif 000008
【図７】
2004076337.tif 000009